(57)【特許請求の範囲】
【請求項１】
縦方向に前後胴周り域およびそれら胴周り域の間に位置する股下域を備え、肌当接側に位置する第１内面と肌非当接側に位置する第１外面とを有し前記股下域を縦方向へ延びる脚周り側部が横方向内側へ向かって実質的に弧を画くアウターシートと、前記アウターシートの前記第１内面に取り付けられて前記股下域から前記前後胴周り域へ向かって延びるインナーパッドとから構成され、前記インナーパッドが、透液性の表面シートおよび実質的に不透液性の裏面シートと、前記表裏面シートの間に介在する吸液性コアとから形成されるとともに、肌当接側に位置する第２内面と肌非当接側に位置する第２外面とを有し前記コアの両側縁から横方向外側へ延出する前記表面シートの部分と前記裏面シートの部分のうち少なくとも前記裏面シートの部分から形成されるサイドフラップを備え、前記横方向内側へ向かって実質的に弧を画く伸縮性第１弾性部材が、前記アウターシートの脚周り側部に取り付けられ、前記縦方向へ略直状に延びる伸縮性第２弾性部材が、前記サイドフラップに伸長状態で取り付けられた使い捨ておむつにおいて、
前記アウターシートの脚周り側部が、前記前胴周り域の側に位置する前側部分と、前記後胴周り域の側に位置する後側部分と、前記前後側部分の間に位置する中間部分とを有し、
前記第１弾性部材が、前記脚周り側部の前記前後側部分と前記中間部分とのうちの少なくとも前記前後側部分に取り付けられ、前記第２弾性部材が、前記脚周り側部の前記前側部分と前記後側部分との２箇所の交差部位で前記第１弾性部材と交差し、
前記サイドフラップが、前記コアの両側近傍に沿って縦方向へ延びる内側部分と、前記内側部分の横方向外側縁に連なって該縦方向へ延びる外側部分と、前記内外側部分の両端に連なって位置し前記アウターシートの前記前後胴周り域に固定される両端部分とを有し、前記サイドフラップの前記内側部分と前記外側部分とのうちの少なくとも前記内側部分の前記第２外面が、前記アウターシートの前記脚周り側部の前記第１内面と対向し、前記第１及び第２弾性部材の前記交差部位において前記脚周り側部の前記第１内面とこれに対向する前記サイドフラップの前記内側部分の前記第２外面とが固着されていることによって、前記第１及び第２弾性部材が実質的に互いに連結されることを特徴とする前記おむつ。
【請求項２】
前記サイドフラップの前記外側部分の前記第２内面が前記交差部位において前記アウターシートの前記脚周り側部の前記第１内面に固着されていない請求項１記載のおむつ。
【請求項３】
前記第１弾性部材と前記第２弾性部材とが、前記脚周り側部の前記前側部分と前記中間部分との分岐近傍で交差するとともに、前記脚周り側部の前記後側部分と前記中間部分との分岐近傍で交差している請求項１または２に記載のおむつ。
【請求項４】
前記サイドフラップには、前記内側部分と前記外側部分との間を前記横方向へ所与寸法離間して並ぶ複数条の前記第２弾性部材が取り付けられている請求項１ないし請求項３いずれかに記載のおむつ。
【請求項５】
前記前胴周り域を縦方向へ延びる前記胴周り側部が、前記後胴周り域を縦方向へ延びる前記胴周り側部に連結され、前記おむつが、胴周り開口とその下方に一対の脚周り開口とを有する請求項１ないし請求項５いずれかに記載のおむつ。
【発明の詳細な説明】
【０００１】
【発明の属する技術分野】
本発明は、排泄物を吸収、保持する使い捨ておむつに関する。
【０００２】
【従来の技術】
特開平９−７５３９０号公報は、互いに対向する前後胴周り域およびそれら胴周り域の間に位置する股下域を有するアウターシートと、アウターシートの内側に取り付けられて股下域から前後胴周り域へ向かって延びるインナーパッドとから構成され、胴周り開口とその下方に一対の脚周り開口とを有するパンツ型の使い捨ておむつを開示している。
【０００３】
アウターシートは、前後胴周り域を横方向へ延びる胴周り端部と、前後胴周り域を縦方向へ延びる胴周り側部と、股下域を縦方向へ延びる脚周り側部とを有する。脚周り側部は、アウターシートの横方向内方へ向かって実質的に弧を画いている。アウターシートでは、前胴周り域の胴周り側部と後胴周り域の胴周り側部とが合掌状に重なり合い、それら胴周り側部の側縁近傍が縦方向へ間欠的に並ぶ多数の熱融着線を介して固着されている。アウターシートの前後胴周り域には、胴周り端部から股下域へ向かって延びる吊持片が取り付けられている。アウターシートの前後胴周り域には、胴周り方向へ延びる複数条の胴周り用弾性部材が伸長状態で取り付けられている。
【０００４】
インナーパッドは、肌当接側に位置する透液性表面シートと、肌非当接側に位置する不透液性裏面シートと、表裏面シートの間に介在する吸液性コアとから形成されている。インナーパッドは、縦方向へ長い略矩形を呈し、コアの両側を縦方向へ略直状に延びるサイドフラップを有する。サイドフラップには、縦方向へ略直状に延びる伸縮性弾性部材が伸長状態で取り付けられている。インナーパッドは、その両端部がアウターシートの吊持片に着脱可能に取り付けられている。
【０００５】
【発明が解決しようとする課題】
前記公報に開示のおむつでは、インナーパッドのサイドフラップとそこに取り付けられた弾性部材とがおむつの縦方向へ略直状に延びているので、おむつを着用したときに、サイドフラップと弾性部材とが着用者の脚部をその周り方向へ延びることはない。このおむつでは、弾性部材の収縮力を利用してインナーパッドのサイドフラップを着用者の脚部周りに密着させることができず、サイドフラップと着用者の肌との間に隙間が生じ、インナーパッドに排泄された排泄物がサイドフラップの外側へ漏れてしまう場合がある。
【０００６】
本発明の課題は、インナーパッドのサイドフラップを着用者の脚部周りに密着させることができ、サイドフラップからの排泄物の漏れを防ぐことができる使い捨ておむつを提供することにある。
【０００７】
【課題を解決するための手段】
前記課題を解決するための本発明の前提は、縦方向に前後胴周り域およびそれら胴周り域の間に位置する股下域を備え、肌当接側に位置する第１内面と肌非当接側に位置する第１外面とを有し前記股下域を縦方向へ延びる脚周り側部が横方向内側へ向かって実質的に弧を画くアウターシートと、前記アウターシートの前記第１内面に取り付けられて前記股下域から前記前後胴周り域へ向かって延びるインナーパッドとから構成され、前記インナーパッドが、透液性の表面シートおよび実質的に不透液性の裏面シートと、前記表裏面シートの間に介在する吸液性コアとから形成されるとともに、肌当接側に位置する第２内面と肌非当接側に位置する第２外面とを有し前記コアの両側縁から横方向外側へ延出する前記表面シートの部分と前記裏面シートの部分のうち少なくとも前記裏面シートの部分から形成されるサイドフラップを備え、前記横方向内側へ向かって実質的に弧を画く伸縮性第１弾性部材が、前記アウターシートの脚周り側部に取り付けられ、前記縦方向へ略直状に延びる伸縮性第２弾性部材が、前記サイドフラップに伸長状態で取り付けられた使い捨ておむつにある。
なお、
【０００８】
前記前提における本発明の特徴は、前記アウターシートの脚周り側部が、前記前胴周り域の側に位置する前側部分と、前記後胴周り域の側に位置する後側部分と、前記前後側部分の間に位置する中間部分とを有し、前記第１弾性部材が、前記脚周り側部の前記前後側部分と前記中間部分とのうちの少なくとも前記前後側部分に取り付けられ、前記第２弾性部材が、前記脚周り側部の前記前側部分と前記後側部分との２箇所の交差部位で前記第１弾性部材と交差し、前記サイドフラップが、前記コアの両側近傍に沿って縦方向へ延びる内側部分と、前記内側部分の横方向外側縁に連なって該縦方向へ延びる外側部分と、前記内外側部分の両端に連なって位置し前記アウターシートの前記前後胴周り域に固定される両端部分とを有し、前記サイドフラップの前記内側部分と前記外側部分とのうちの少なくとも前記内側部分の前記第２外面が、前記アウターシートの前記脚周り側部の前記第１内面と対向し、前記第１及び第２弾性部材の前記交差部位において前記脚周り側部の前記第１内面とこれに対向する前記サイドフラップの前記内側部分の前記第２外面とが固着されていることによって、前記第１及び第２弾性部材が実質的に互いに連結されることにある。
【０００９】
本発明の実施の形態としては、前記第１弾性部材と前記第２弾性部材とが、前記脚周り側部の前記前側部分と前記中間部分との分岐近傍で交差するとともに、前記脚周り側部の前記後側部分と前記中間部分との分岐近傍で交差している。
【００１０】
本発明の実施の形態の他の一例として、前記サイドフラップには、前記内側部分と前記外側部分との間を前記横方向へ所与寸法離間して並ぶ複数条の前記第２弾性部材が取り付けられている。
【００１１】
【００１２】
本発明の実施の形態の他の一例としては、前記前胴周り域を縦方向へ延びる胴周り側部が、前記後胴周り域を縦方向へ延びる胴周り側部に連結され、前記おむつが、胴周り開口とその下方に一対の脚周り開口とを有する。
【００１３】
【発明の実施の形態】
添付の図面を参照し、本発明にかかる使い捨ておむつの詳細を説明すると、以下のとおりである。
【００１４】
図１，２は、おむつ１Ａの斜視図と、前後胴周り域５，７の連結を解除した状態で示すおむつ１Ａの部分破断平面図とであり、図３，４は、前後胴周り域５，７の連結を解除した状態で示すおむつ１Ａの斜視図と、図３のＡ−Ａ線端面図とである。図１，２では、横方向を矢印Ｘで示し、縦方向を矢印Ｙで示す。図２では、おむつ１Ａが縦方向と横方向とヘ伸張した状態にある。なお、表面シート１９と裏面シート２０との内面とは、コア２１に対向する面をいい、それらシート１９，２０の外面とは、コア２１に非対向の面をいう。
【００１５】
おむつ１Ａは、アウターシート２と、インナーパッド１８とから構成されている。おむつ１Ａは、パンツ型を呈し、胴周り開口２６とその下方に一対の脚周り開口２７とを有する。
【００１６】
アウターシート２は、肌当接側に位置する第１内面２Ａと肌非当接側に位置する第１外面２Ｂとを有し、かつ、対向する面が固着された互いに重なり合う２枚の疎水性繊維不織布３，４から形成されている。アウターシート２は、縦方向に前胴周り域５および後胴周り域７と、それら胴周り域５，７の間に位置する股下域６とを有する。アウターシート２は、その平面形状が砂時計型を呈し、前後胴周り域５，７を横方向へ延びる胴周り端部８と、前後胴周り域５，７を縦方向へ延びる胴周り側部９と、股下域６を脚周り方向へ延びる脚周り側部１０とを有する。脚周り側部１０は、アウターシート２の横方向内側へ向かって実質的に弧を画いている。
【００１７】
アウターシート２の脚周り側部１０は、前胴周り域５の側に位置する前側部分１１と、後胴周り域７の側に位置する後側部分１３と、前後側部分１１，１３の間に位置する中間部分１２とを有する。ここで、アウターシート２では、脚周り側部１０の縦方向の長さ寸法を略３等分して脚周り側部１０を３つの区域に分割し、それら３区域のうち、前胴周り域５の側に位置する区域を前側部分１１、後胴周り域の側に位置する区域を後側部分１３、前胴周り域５の側の区域と後胴周り域の側の区域との間に位置する区域を中間部分１２としている。
【００１８】
アウターシート２では、前胴周り域５の胴周り側部９と後胴周り域７の胴周り側部９とが合掌状に重なり合い、それら胴周り側部９の側縁近傍が縦方向へ間欠的に並ぶ多数の熱融着線１４を介して固着されている。
【００１９】
胴周り端部８には、横方向へ延びる複数条の胴周り用弾性部材１５が伸長状態で取り付けられている。股下域６には、その略前半分に位置して前胴周り域５の側から股下域６の縦方向中央部へ向かって凸となる脚周り用弾性部材１６（伸縮性第１弾性部材）が伸長状態で取り付けられ、その略後半分に位置して後胴周り域７の側から股下域６の縦方向中央部へ向かって凸となる脚周り用弾性部材１７（伸縮性第１弾性部材）が伸長状態で取り付けられている。胴周り用弾性部材１５と脚周り用弾性部材１６，１７とは、アウターシート２を形成する不織布３，４の間に介在し、それら不織布３，４に固着されている。
【００２０】
脚周り用弾性部材１６は、脚周り側部１０の前側部分１１に延びる両側部１６ａと、股下域６を横切る中央部１６ｂとを有する。脚周り用弾性部材１７は、脚周り側部１０の後側部分１３に延びる両側部１７ａと、股下域６を横切る中央部１７ｂとを有する。それら弾性部材１６，１７の両側部１６ａ，１７ａは、脚周り側部１０の前側部分１１と後側部分１３とに沿うように、横方向内側へ向かって実質的に弧を画いている。それら弾性部材１６，１７の中央部１６ｂ，１７ｂは、股下域６において縦方向へ所与寸法離間している。
【００２１】
インナーパッド１８は、その平面形状が縦方向へ長い略矩形を呈し、アウターシート２の股下域６から前後胴周り域５，７へ向かって延びている。インナーパッド１８は、肌当接側に位置する透液性の表面シート１９と、肌非当接側に位置する実質的に不透液性の裏面シート２０と、表裏面シート１９，２０の間に介在する吸液性コア２１とから形成されている。コア２１は、表面シート１９と裏面シート２０とのうちの少なくとも一方の内面に固着されている。インナーパッド１８は、コア２１の両側縁２１ｂの外側を縦方向へ略直状に延びるサイドフラップ２２を有する。
【００２２】
インナーパッド１８は、アウターシート２の第１内面２Ａに取り付けられ、具体的には、両端部１８ａがアウターシート２の前後胴周り域５，７に固着され、その中央部１８ｂがアウターシート２の股下域６に固着されている。インナーパッド１８では、両端部１８ａと中央部１８ｂとの間の部位がアウターシート２に固着されておらず、アウターシート２から遊離している。インナーパネル１８の両端部１８ａと中央部１８ｂとでは、それを形成する裏面シート２０の外面がアウターシート２を形成する不織布３に固着されている。
【００２３】
サイドフラップ２２は、肌当接側に位置する第２内面２２Ａと肌非当接側に位置する第２外面２２Ｂとを有し、コア２１の両側縁２１ｂの外側近傍に沿って縦方向へ延びる内側部分２２ａと、内側部分２２ａの外側縁に連なって縦方向へ延びる外側部分２２ｂと、アウターシート２の前後胴周り域５，７に固着された両端部分２２ｃとを有する。サイドフラップ２２には、縦方向へ略直状に延びる複数条の伸縮性弾性部材２３（伸縮性第２弾性部材）が伸長状態で取り付けられている。弾性部材２３は、サイドフラップ２２の内側部分２２ａと外側部分２２ｂとに取り付けられ、それら側部分２２ａ，２２ｂを横方向へ所与寸法離間して並んでいる。
【００２４】
おむつ１Ａでは、アウターシート２の脚周り用弾性部材１６，１７とサイドフラップ２２の弾性部材２３とが脚周り側部１０の前側部分１１と後側部分１３との２箇所で交差している。脚周り用弾性部材１６，１７と弾性部材２３とは、脚周り側部１０の前側部分１１と中間部分１２との分岐近傍で交差するとともに、脚周り側部１０の後側部分１３と中間部分１２との分岐近傍で交差している。おむつ１Ａでは、サイドフラップ２２の内側部分２２ａの第２外面２２Ｂがアウターシート２の脚周り側部１０の第１内面２Ａと対向し、脚周り用弾性部材１６，１７と弾性部材２３との交差部位２４においてアウターシート２の脚周り側部１０に固着されている。交差部位２４では、ホットメルト型接着剤２５を介して裏面シート２０の外面が不織布３に固着されている。
【００２５】
おむつ１Ａでは、サイドフラップ２２の内側部分２２ａの第２外面２２Ｂが交差部位２４においてアウターシート２の脚周り側部１０に固着されているので、脚周り側部１０とサイドフラップ２２とが実質的につながるとともに、脚周り用弾性部材１６，１７と弾性部材２３とが実質的につながる。
【００２６】
おむつ１Ａでは、それを着用したときに、一連につながる脚周り側部１０とサイドフラップ２２とが着用者の脚部をその周り方向へ延びるとともに、脚周り用弾性部材１６，１７の両側部１６ａ，１７ａが着用者の脚部の周り方向へ伸長し、両側部１６ａ，１７ａに引っ張られて弾性部材２３も着用者の脚部の周り方向へ伸長する。それら弾性部材１６，１７，２３の交差部位２４の間では、弾性部材２３の収縮力によってサイドフラップ２２の内外側部分２２ａ，２２ｂが着用者の脚部周りに密着する。脚周り側部１０の前側部分１１と後側部分１３とでは、脚周り用弾性部材１６，１７の両側部１６ａ，１７ａの収縮力によってアウターシート２の脚周り側部１０が着用者の脚部周りに密着する。
【００２７】
おむつ１Ａでは、図１に示すように、インナーパッド１８が表面シート１９を内側にして縦方向へ湾曲し、弾性部材２３の収縮によって交差部位２４の間に延びるサイドフラップ２２の内外側部分２２ａ，２２ｂが表面シート１９の上方へ起き上がる。おむつ１Ａでは、交差部位２４の間に延びるインナーパッド１８のサイドフラップ２２が着用者の脚部周りに密着しつつ、排泄物に対する障壁を形成しており、着用者の脚部とサイドフラップ２２との間に隙間が生じることはなく、そこに延びるサイドフラップ２２からの排泄物の漏れを防ぐことができる。また、おむつ１Ａでは、サイドフラップ２２の外側部分２２ｂの第２外面２２Ｂが交差部位２４においてアウターシート２の脚周り側部１０に固着されておらず、外側部分２２ｂが交差部位２４において表面シート１９の上方へ起き上がるので、交差部位２４における排泄物の漏れを防ぐことができる。
【００２８】
おむつ１Ａでは、サイドフラップ２２の両端部分２２ｃ近傍から排泄物が漏れたとしても、前側部分１１と後側部分１３とにおいてアウターシート２の脚周り側部１０が着用者の脚部周りに密着するので、脚周り側部１０から排泄物が漏れてしまうことはない。
【００２９】
インナーパッド１８の両端部１８ａでは、コア２１の両端縁２１ａから表面シート１９の端部１９ａと裏面シート２０の端部２０ａとが縦方向外方へ延び、端部１９ａ，２０ａにおいてそれらシート１９，２０の内面どうしが固着されている。
【００３０】
インナーパッド１８のサイドフラップ２２は、コア２１の両側縁２１ｂから横方向外方へ延びる表面シート１９の側部１９ｂと裏面シート２０の側部２０ｂとから形成されている。サイドフラップ２２では、裏面シート２０の側部２０ｂが外側部分２２ｂの側縁において折り返されて表面シート１９の側部１９ｂに重なり、互いに重なり合う表裏面シート１９，２０の側部１９ｂ，２０ｂどうしが固着されている。サイドフラップ２２では、外側部分２２ｂの側に位置する弾性部材２３が裏面シート２０の間に介在して裏面シート２０の側部２０ｂの内面に固着され、内側部分２２ａの側に位置する弾性部材２３が表面シート１９と裏面シート２０との間に介在してそれらシート１９，２０の側部１９ｂ，２０ｂ内面に固着されている。
【００３１】
図５，６は、他の実施の形態を示すおむつ１Ｂの斜視図と、前後胴周り域５，７の連結を解除した状態で示すおむつ１Ｂの部分破断平面図とであり、図７，８は、前後胴周り域５，７の連結を解除した状態で示すおむつ１Ｂの斜視図と、図７のＢ−Ｂ線端面図とである。図５，６では、横方向を矢印Ｘで示し、縦方向を矢印Ｙで示す。図６では、おむつ１Ｂが縦方向と横方向とヘ伸張した状態にある。
【００３２】
おむつ１Ｂは、図１のそれと同様に、アウターシート２と、アウターシート２の第１内面２Ａに取り付けられたインナーパッド１８とから構成されている。おむつ１Ｂは、パンツ型を呈し、胴周り開口２６とその下方に一対の脚周り開口２７とを有する。このおむつ１Ｂが図１のそれと異なる点は、以下のとおりである。
【００３３】
アウターシート２の脚周り側部１０には、縦方向へ延びる複数条の脚周り用弾性部材２８（伸縮性第１弾性部材）が伸長状態で取り付けられている。脚周り用弾性部材２８は、脚周り側部１０の前後側部分１１，１３と中央部分１２とに延び、脚周り側部１０に沿ってアウターシート２の横方向内側へ向かって実質的に弧を画いている。
【００３４】
インナーパッド１８では、サイドフラップ２２の両端部分２２ｃがパッド１８の横方向内方へ向かって折曲されている。両端部分２２ｃは、表面シート１９の外面に固着されている。
【００３５】
おむつ１Ｂでは、アウターシート２の脚周り用弾性部材２８とサイドフラップ２２の伸縮性弾性部材２３（伸縮性第２弾性部材）とが脚周り側部１０の前側部分１１と後側部分１３との２箇所で交差している。おむつ１Ｂでは、サイドフラップ２２の内側部分２２ａと外側部分２２ｂとが脚周り用弾性部材２８と弾性部材２３との交差部位２４においてアウターシート２の脚周り側部１０に固着されている。交差部位２４では、ホットメルト型接着剤（図示せず）を介して裏面シート２０の外面が不織布３に固着されている。
【００３６】
おむつ１Ｂでは、サイドフラップ２２の内側部分２２ａと外側部分２２ｂとが前記交差部位２４においてアウターシート２の脚周り側部１０に固着されているので、脚周り側部１０とサイドフラップ２２とが実質的につながるとともに、脚周り用弾性部材２８と弾性部材２３とが実質的につながる。おむつ１Ｂでは、それを着用したときに、一連につながる脚周り側部１０とサイドフラップ２２とが着用者の脚部をその周り方向へ延びるとともに、脚周り用弾性部材２８と弾性部材２３とが着用者の脚部の周り方向へ伸長する。
【００３７】
それら弾性部材２３，２８の交差部位２４の間では、弾性部材２３と脚周り用弾性部材２８との収縮力によってサイドフラップ２２の内外側部分２２ａ，２２ｂが着用者の脚部周りに密着する。脚周り側部１０の前側部分１１と後側部分１３とでは、脚周り用弾性部材２８の収縮力によってアウターシート２の脚周り側部１０が着用者の脚部周りに密着する。おむつ１Ｂでは、アウターシート２の脚周り側部１０とインナーパッド１８のサイドフラップ２２とが着用者の脚部周りに密着するので、排泄物が脚周り側部１０とサイドフラップ２２とから漏れてしまうことはない。
【００３８】
おむつ１Ｂでは、サイドフラップ２２の両端部分２２ｃがインナーパッド１８の横方向内方へ向かって折曲されているので、図６に示すように、両端部分２２ｃ近傍に延びるサイドフラップ２２の内外側部分２２ａ，２２ｂが表面シート１９の上方へ起き上がる。おむつ１Ｂでは、弾性部材２３，２８の交差部位２４の間に延びるサイドフラップ２２が排泄物に対する障壁を形成するとともに、両端部分２２ｃ近傍に延びるサイドフラップ２２が排泄物に対する障壁を形成しており、交差部位２４の間のみならず、両端部分２２ｃ近傍におけるサイドフラップ２２からの排泄物の漏れを防ぐことができる。
【００３９】
表面シート１９には、親水性繊維不織布、多数の開孔を有する疎水性繊維不織布、微細な多数の開孔を有するプラスチックフィルムのいずれかを使用することができる。
【００４０】
裏面シート２０には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００４１】
アウターシート２は、疎水性繊維不織布の他に、通気不透液性プラスチックフィルム、疎水性繊維不織布と通気不透液性プラスチックフィルムとを重ね合わせた複合シートのいずれかから形成されていてもよい。
【００４２】
アウターシート２や裏面シート２０には、高い耐水性を有するメルトブローン法による繊維不織布を、高い強度と良好な柔軟性とを有するスパンボンド法による繊維不織布で挟んだ複合不織布を使用することもできる。
【００４３】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４４】
コア２１は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア２１は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４５】
アウターシート２とインナーパッド１８との固着、表裏面シート１９，２０の固着、コア２１の固着、弾性部材１５，１６，１７，２３，２８の固着には、ホットメルト型接着剤、または、ヒートシールやソニックシール等の熱による溶着手段を利用することができる。
【００４６】
この発明は、前後胴周り域の胴周り側部どうしがあらかじめ連結されたパンツ型の使い捨ておむつの他に、着用時に前後胴周り域の胴周り側部どうしを連結するオープン型の使い捨ておむつにも実施することができる。
【００４７】
【発明の効果】
本発明に係る使い捨ておむつによれば、インナーパッドのサイドフラップの内側部分と外側部分とのうちの少なくとも内側部分が伸縮性第１弾性部材と伸縮性第２弾性部材との交差部位においてアウターシートの脚周り側部に固着されているので、脚周り側部とサイドフラップとが実質的につながるとともに、第１弾性部材と第２弾性部材とが実質的につながり、おむつを着用したときに、着用者の脚部の周り方向へ伸長する第１弾性部材に引っ張られて第２弾性部材が着用者の脚部の周り方向へ伸長する。このおむつでは、第２弾性部材の収縮力によってそれら弾性部材の交差部位の間に延びるインナーパッドのサイドフラップが着用者の脚部周りに密着しつつ、排泄物に対する障壁を形成するので、着用者の脚部とサイドフラップとの間に隙間が生じることはなく、そこに延びるサイドフラップからの排泄物の漏れを確実に防ぐことができる。
【００４８】
サイドフラップの両端部分がインナーパッドの横方向内方へ向かって折曲されたおむつでは、第１および第２弾性部材の交差部位の間に延びるインナーパッドのサイドフラップが排泄物に対する障壁を形成するとともに、両端部分の近傍に延びるインナーパッドのサイドフラップが排泄物に対する障壁を形成するので、それら弾性部材の交差部位の間のみならず、固定両端部近傍におけるサイドフラップからの排泄物の漏れを防ぐことができる。
【図面の簡単な説明】
【図１】  おむつの斜視図。
【図２】  前後胴周り域の連結を解き縦横方向へ伸展した状態で示すおむつの部分破断平面図。
【図３】  前後胴周り域の連結を解き単に展開した状態で示すおむつの斜視図。
【図４】  図３のＡ−Ａ線端面図。
【図５】  他の実施の形態を示すおむつの斜視図。
【図６】  前後胴周り域の連結を解き縦横方向へ伸展した状態で示すおむつの部分破断平面図。
【図７】  前後胴周り域の連結を解き単に展開した状態で示すおむつの斜視図。
【図８】  図７のＢ−Ｂ線端面図。
【符号の説明】
１Ａ，１Ｂ      使い捨ておむつ
２              アウターシート
２Ａ            第１内面
２Ｂ            第１外面
５              前胴周り域
６              股下域
７              後胴周り域
９              胴周り側部
１０              脚周り側部
１１              前側部分
１２              中間部分
１３              後側部分
１６              脚周り用弾性部材（伸縮性第１弾性部材）
１７              脚周り用弾性部材（伸縮性第１弾性部材）
１８              インナーパッド
１９              透液性の表面シート
２０              不透液性の裏面シート
２１              吸液性コア
２２              サイドフラップ
２２Ａ            第２内面
２２Ｂ            第２外面
２２ａ            内側部分
２２ｂ            外側部分
２２ｃ            両端部分
２３              伸縮性弾性部材（伸縮性第２弾性部材）
２４              交差部
２６              胴周り開口
２７              脚周り開口
２８              脚周り用弾性部材（伸縮性第１弾性部材）
【図１】
0003957048.tif 000002
【図２】
0003957048.tif 000003
【図３】
0003957048.tif 000004
【図４】
0003957048.tif 000005
【図５】
0003957048.tif 000006
【図６】
0003957048.tif 000007
【図７】
0003957048.tif 000008
【図８】
0003957048.tif 000009